(57)【要約】【課題】透光材を保持した本体枠を下地枠の開口面に回転可能に取り付けて構成される照明装置を、本体枠を下地枠の下方で力をかけずに円滑な操作で回転させることができるように構成する。【解決手段】下地枠（１）と本体枠（２）を連結するヒンジ手段（４）を、回転支点となる本体枠（２）の一側辺（２１）を挟んで対向する両側辺（２３、２３）と下地枠（１）の両側辺とにアーム連結板（４１、４２）を取り付け、両板にそれぞれ長さの異なる一対のアーム（４３、４４）を回転自在に取り付けて構成し、さらに一対のアーム（４３、４４）同士の下地枠側の回転支点の間隔（Ｄ）を、本体枠側の回転支点の間隔（ｄ）よりも大きくなるようにアーム端部の取り付け位置を設定して構成する。【選択図】図１
0003106948.tif 000002
【実用新案登録請求の範囲】
【請求項１】
照明灯の下方に設置される下地枠と、透光材を保持して下地枠の下側に重ねて設置される本体枠と、下地枠に本体枠をその一側辺側を支点として回転可能に連結するヒンジ手段と、本体枠の他側辺を下地枠に着脱するロック手段とを有してなる照明装置において、
前記ヒンジ手段は、本体枠の前記一側辺を挟んで対向する両側辺と、これら本体枠の両側辺と対向する下地枠の両側辺とに、それぞれ長さの異なる一対のアームを、各々両端部を本体枠側辺と下地枠側辺に回転自在に取り付けて架け渡してなるとともに、前記一対のアーム同士の下地枠側辺における回転支点の間隔が本体枠側辺における回転支点の間隔よりも大きくなるようにアーム端部の取り付け位置を設定した構成を有することを特徴とする照明装置。
【請求項２】
本体枠の側辺上面に、本体枠を下地枠の下側に平行に配した状態で下地枠の内側に進出するように配してアーム連結板を固定し、下地枠の側辺上面にもアーム連結板を固定し、両アーム連結板に前記一対のアームの両端部を回転自在に取り付けることにより、本体枠がその側辺上面を下地枠側辺下面に接合させて下地枠に装着するように構成したことを特徴とする請求項１に記載の照明装置。
【請求項３】
前記ロック手段は、本体枠の前記他側辺上面に固定された座板から外方へ突出させた棒体と、この棒体を下側から支持可能な受片を当該棒体と交差する方向に進退自在に設けてなる、本体枠に固定されたロック機構からなり、棒体を支持した受片を変位させて棒体の支持を解除せしめる解除操作レバーを下地枠の下方に突出させた構成を有することを特徴とする請求項１又は２に記載の照明装置。
【請求項４】
断面が下方に向けて所定の勾配で先細り状となるように成形された本体枠を用い、この本体枠内面の勾配に沿った当該装置下方から上方への視線上にヒンジ手段とロック手段の構成部材が位置しないように構成したことを特徴とする請求項１〜３の何れかに記載の照明装置。
【考案の詳細な説明】
【技術分野】
【０００１】
本考案は、天井から照明灯の下方に下地枠を吊り下げ、この下地枠の開口面に透光材を保持した本体枠を一体に取り付けて、光幕天井を構成するのに好適な照明装置に関する。
【背景技術】
【０００２】
ガラスクロス素材からなる透光材を保持した本体枠を天井照明灯の下側に配して構成される照明装置は、室内空間に輝度の低い柔らかな照明光を創出し、眩しさ・影の発生を防ぐため、作品や展示物を観賞する美術館や博物館、商品を展示するデパートなどで利用されている。
【０００３】
前記本体枠は、照明灯の交換や天井の点検などの保守作業を行えるようにするため、照明灯と本体枠の間に作業者が入り込める空間ができるように本体枠を取り外し自在に、或いは取り付け位置をずらせるように設ける必要がある。この場合、例えば図７に示されるように、透光材７１を保持した本体枠７２の一側をヒンジ板７３で回転自在に支持し、他側をラッチ錠７４で係合位置に固定されるようにし、ラッチ錠７４による係合を解除して本体枠７２の他側を下方へ回転させることにより保守作業用の間隙ができるように設けたときは、ヒンジ板７３とラッチ錠７４の固定位置がずれていると本体枠７２の下面に不陸が生じることから、本体枠７２が水平に支持されるようにヒンジ板７３とラッチ錠７４を位置を合わせて固定するのに手間を要する。
【０００４】
そこで、このような施工上の手間を省いて本体枠を水平に支持する構成の照明装置として、図８に示されるように、吊りボルトなどで格子状の下地枠８１を照明灯Ｌの下方に水平に吊るし、この下地枠８１の下側に、透光材８２を保持した本体枠８３の一端をヒンジ手段８４を介して連結し、また、下地枠８１に開孔を有するピンラッチ８５を取り付け、本体枠８３の他端に前記開孔に係合する突起８６を固定し、ピンラッチ８５に突起８６を係合させた状態では本体枠８３が下地枠８１の下面に沿って水平に支持され、ピンラッチ８５による係合を解除した状態ではヒンジ手段８４により本体枠８３の端部が下方に回転し、本体枠８３が下地枠８１の下側に垂れ下がるように構成したものが利用されている（例えば特開平６−１２９１５５号公報参照）。
【考案の開示】
【考案が解決しようとする課題】
【０００５】
従来の照明装置は、簡易に施工できるものの、図８（Ａ）に示されるように、ヒンジ手段８４が、屈曲した第１のアーム８４ａと長短の二つのアーム材を回転自在に連結した第２のアーム８４ｂとを下地枠８１と本体枠８３とに回転自在に取り付けて構成され、本体枠８３を水平な位置から回転させたときに、第１のアーム８４ａの端部が変位する位置と第２のアーム８４ｂの端部が変位する位置をそれぞれ辿ると、互いに異なる方向に湾曲した軌跡（図中の点線ａ、ｂ）を示し、本体枠８３が回転する過程で両アームの端部がそれぞれ異方向に変位するようになっている。そのため、本体枠８３を力をかけずに円滑な操作で回転させることができなかった。
【０００６】
また、下地枠８１への本体枠８３の固定は、ピンラッチ８５の通孔に突起８６を下方から圧入して係合させるようになっている。そのため、突起８６をピンラッチ８５に圧入する際、及び本体枠８３を回転させるためピンラッチ８５から突起８６を引き抜く際に、下地枠８１に荷重がかからないように、片手で下地枠８１を支えながら且つ力を加減して、本体枠８３の端部を上方に押し上げる操作と下方に引き下げる操作をしなければならなかった。
【０００７】
さらに、下地枠８１に本体枠８３を装着した状態では、両枠の間に隙間（図中、符号Ｓ）ができ、この隙間から照明灯の光が漏れて室内照明効果を低下させる。また、このような隙間があったのでは、ヒンジ手段８４及びピンラッチ８５を高精度で所定の位置に取り付けないと、本体枠８３を下地枠８１に装着したときに、本体枠８３が下地枠８１に対して斜めになって装着するなどの、天井面に不陸を生じさせる原因ともなる。
【０００８】
またさらに、図８（Ｂ）に示されるように、ヒンジ手段８４のアーム８４ａ、８４ｂは本体枠８３の内側に進出させて取り付けられており、また、本体枠８３を水平に固定した状態では、ピンラッチ８５と突起８６は本体枠８３の内側上方に位置する。そのため、室内で照明装置を見上げたときに、例えば図８中で二点鎖線で示される本体枠８４の縁に沿った視線ｅのときには、透光材８２を通してアーム８４ａ、８４ｂやピンラッチ８５、突起８６の影が見えてしまうことがあり、このような装置では、室内照明の光量を増すために高い透光性の透光材を用いることができなかった。
【０００９】
本考案は従来技術の有するこのような問題点に鑑み、本体枠を下地枠の開口面に回転可能に取り付けて構成される照明装置を、本体枠を下地枠の下方で力をかけずに円滑な操作で回転させることができるようにし、また、本体枠を下地枠に装着する操作及び下地枠から離脱する操作を、下地枠に負荷を与えることなく確実且つ簡易に行えるように構成することを課題とする。
【課題を解決するための手段】
【００１０】
前記課題を解決するため本考案は、照明灯の下方に設置される下地枠と、透光材を保持して下地枠の下側に重ねて設置される本体枠と、下地枠に本体枠をその一側辺側を支点として回転可能に連結するヒンジ手段と、本体枠の他側辺を下地枠に着脱するロック手段とを有してなる照明装置において、前記ヒンジ手段は、本体枠の前記一側辺を挟んで対向する両側辺と、これら本体枠の両側辺と対向する下地枠の両側辺とに、それぞれ長さの異なる一対のアームを、各々両端部を本体枠側辺と下地枠側辺に回転自在に取り付けて架け渡してなるとともに、前記一対のアーム同士の下地枠側辺における回転支点の間隔が本体枠側辺における回転支点の間隔よりも大きくなるようにアーム端部の取り付け位置を設定した構成を有することを特徴とする。
【００１１】
前記構成において、本体枠の側辺上面に、本体枠を下地枠の下側に平行に配した状態で下地枠の内側に進出するように配してアーム連結板を固定し、下地枠の側辺上面にもアーム連結板を固定し、両アーム連結板に前記一対のアームの両端部を回転自在に取り付けることにより、本体枠がその側辺上面を下地枠側辺下面に接合させて下地枠に装着する構成とすることができる。
【００１２】
また、前記構成において、ロック手段は、本体枠の前記他側辺上面に固定された座板から外方へ突出させた棒体と、この棒体を下側から支持可能な受片を当該棒体と交差する方向に進退自在に設けてなる、本体枠に固定されたロック機構からなり、棒体を支持した受片を変位させて棒体の支持を解除せしめる解除操作レバーを下地枠の下方に突出させた構成とすることができる。
【００１３】
さらに、断面が下方に向けて所定の勾配で先細り状となるように成形された本体枠を用い、この本体枠内面の勾配に沿った当該装置下方から上方への視線上にヒンジ手段とロック手段の構成部材が位置しないような構成とすることができる。
【考案の効果】
【００１４】
本考案の照明装置は、ヒンジ手段を長さの異なる一対のアームにより構成し、前述の如くアームの回転支点の間隔を本体枠側辺では小さく、下地枠側辺では大きく設定してあるので、前記一対のアームは下地枠側辺の回転支点を軸として互いに同方向にスムーズに回転自在となり、ロック手段の係合を解除した状態で、本体枠に力をかけることなく滑らかに回転させ変位させることができる。本体枠が回転する過程で、下地枠に本体枠が装着した位置から、本体枠の周辺が側方や上方に突き出ることはなく、本体枠は下地枠の枠内下方で変位する。
また、本考案の照明装置は、本体枠と下地枠の側辺上面にそれぞれ取り付けてアーム連結板を介して、両枠に前記アームを取り付けてある。従って、本体枠を下地枠の下側に平行に配した状態で、アームの回転軸は本体枠の上方に位置し、これにより本体枠を下地枠に確実に接合させて装着することが可能となる。本体枠が下地枠下面に接合して装着するので、両枠間に隙間ができず、従来例の如き隙間からの光の漏れはない。また、本体枠が下地枠に接合することで、本体枠は下地枠と平行に水平を保って装着する。天井面に不陸が生じる余地はない。
また、ロック手段のロック解除操作レバーを本体枠の外側で下方に突出させてあるので、本体枠及び下地枠を直に操作することなく、レバーの操作によってロックを解除し、本体枠を回転可能な状態にすることができる。本体枠を、力を加減しながら押し上げたり引き下げたりする操作は一切不要である。
さらに、本体枠内面の勾配に沿った装置下方から上方への視線上にヒンジ手段とロック手段の構成部材が位置しないように設けてあるので、床側から照明装置を見上げたときに、これらの部材の影が透光材を通して透過して見えることはなく、透光性が良好な透光材を含め、様々な透光材を用いて多様な室内照明を創出し対応可能である。
【考案を実施するための最良の形態】
【００１５】
本考案の好適な一実施形態を図面を参照して説明する。
図１は本考案の照明装置の外観図、図２は天井端部における図１の照明装置の取り付け断面を示しており、図示されるように、この形態の照明装置は、照明灯Ｌの下方に設置される下地枠１と、透光材３を保持して下地枠１の下方に配される本体枠２と、下地枠１と本体枠２の側辺間に架け渡されていて本体枠２の側辺２１を支点として本体枠２を回転可能に下地枠１に連結するヒンジ手段４、４と、本体枠２の側辺２２を下地枠１に着脱するロック手段５、５と、前記側辺２２と下地枠１の間に取り付けたバネ６とにより構成されている。
【００１６】
下地枠１は、断面略U字形を呈するアルミ型材を用い、これを格子状に組み付けて形成され、室内天井から吊りボルトとハンガーで照明灯Lの下側に水平に設置してある。
【００１７】
本体枠２は、その下部断面が下方に向けて適宜な勾配で先細り状となるように成形されたアルミ型材を用い、これを型材の傾斜した面を互いに内方に向けて方形に一体化して形成してある。本体枠２の大きさは、下地枠１の開口面１ａの周辺寸法よりも若干小さくなるように設けてある。また、本体枠２の外周面には、透光材保持フレーム３１が嵌入しネジ止めされる凹溝２ａを設けてある。
【００１８】
透光材３は、表面にシリコン樹脂コーティングしたガラスクロス材製の布からなり、本体枠２の開口した下面全体に覆い被せ、且つ周縁を前記凹溝２ｂと透光材保持フレーム３１の間に挟み入れて本体枠２に保持してある（図３参照）。
【００１９】
ヒンジ手段４は、下地枠１の上面と本体枠２の上面にそれぞれ取り付けられるアーム連結板４１、４２と、長さの異なる一対のアーム４３、４４により構成されている。
詳しくは、アーム連結板４１は適宜な長さの鋼板を長手方向に沿ってコ字状に、アーム連結板４２は同じく鋼板をＬ字形にそれぞれ折り曲げてなり、アーム連結板４２は本体枠２の側辺２３の上面に一体に取り付け、アーム連結板４１は前記側辺２３と対向する下地枠１の側辺上面に一体に取り付けてある。アーム４３、４４はともに細長い鋼板により形成され、アーム４４の長さはアーム４３の１．５倍程長く設定し且つその一端を適宜な角度で屈曲させてある。
図２に示されるように、アーム４３は、その上端部４３ａを下地枠１の上面に固定されたアーム連結板４１に回転自在に取り付け、下端部４３ｂを本体枠２の上面に固定されたアーム連結板４２に回転自在に取り付け、アーム４４は、その上端部４４ａを前記アーム連結板４１に回転自在に取り付け、屈曲した下端部４４ｂを前記アーム連結板４２に回転自在に取り付けてある。また、両アームの上端部４３ａ、４４ａは、互いに適宜な間隔（Ｄ）を開けて水平な位置でアーム連結板４１に取り付けてあり、また、下端部４３ｂ、４４ｂは前記間隔（Ｄ）よりも小さな間隔（ｄ）離し且つ本体枠２は水平な状態でアーム４４の屈曲した下端部４４ｂの取り付け位置がアーム４３の下端部４３ｂよりも下側に位置するように設定して取り付けてある。また、ヒンジ手段４、４を介して下地枠１に連結された本体枠２が、下地枠１の下側に装着した状態で、本体枠２の側辺２１、２２及び２３、２３の上面が、下地枠１の側辺下面にぴったりと密着して接合し、下地枠１の下側に一体に重なって支持されるように設けてある。
そして、両端をアーム連結板４１、４２に各々回転自在に取り付けて下地枠１と本体枠２の側辺間に架け渡されたアーム４３、４４により、図３に示されるように、下地枠１の下側に一体に支持された本体枠２を側辺２１側を支点として対向する側辺２２側を下方に回転させ、同時に本体枠２を下方に変位させて、本体枠２が下地枠１の下方に略垂直に吊り下がるまで回転させることができるようになっている。このとき、アーム４３、４４の下端部４３ｂ、４４ｂはそれぞれ上端部４３ａ、４４ａを回転支点として変位し、その変位位置を辿ると、図中、点線Ａ、Ｂで示した同方向に湾曲した軌跡を示すので、本体枠２の回転はスムーズに行われることとなる。本体枠２が下地枠１の下方に吊り下がった状態で、その側辺２２を上方に押し上げれば、前記とは逆方向にアーム４３、４４が変位して、本体枠２を下地枠下側の装着位置まで回転させることができるようになっている。また、本体枠２を下地枠１に装着する操作と下地枠１から離脱する操作のために本体枠２を回転させる過程で、本体枠２は、下地枠１に装着した位置から、その周辺が側方や上方に突き出ることはなく、下地枠１の枠内下方で変位するように設けてある。
【００２０】
ロック手段５は、本体枠２の側辺２２上部に固定された棒体５１と、前記側辺２２と対向する下地枠２の側辺側面に取り付けられたロック機構５２により構成されている。
詳しくは、図４に示されるように、棒体５１はその元端部が固着されたＬ字形の座板５１ａを介して本体枠２の側辺２２の上面に一体に取り付けられ、その先端部を、側辺２２と直交する向きで外方へ突出させてある。ロック機構５２は、切欠き部５２ｂを有する筐体５２ａ内に、切欠き部５２ａ内に進退する受片５２ｃが装填されてなり、棒体５１を切欠き部５２ａ内に押し入れると受片５２ｃ自動的に切欠き部５２ａ内に進出して棒体５１の外周に係合し支持するとともに当該支持状態を保持し、また、筐体５２ａから突出した解除片５２ｄを所定の方向に回動させると、これと連動して受片５２ｂが切欠き部５２ｂ内から退出して、棒体５１への係合を解除し、切欠き部５１ｂから棒体５１を取り外すことができるようになっている。
同図に示されるように、本体枠２を水平にした状態で、前記棒体５１が突き当たる対応位置の下地枠１の側面に棒体５１が貫通する孔１ｂを開け、この孔に下向きに開口した切欠き部５２ｂを位置合わせしロック機構５２を下地枠１の側面に一体に取り付けてある。また、ロック機構５２の解除片５２ｄに逆Ｌ字形に屈曲した解除操作レバー５３の端部を取り付け、当該レバーの他端部を下地枠１の下面に形成されたスリット状の開孔１ｃから下地枠１の下方に突出させてある。そして、棒体５１をロック機構５２で係合支持し、本体枠２が下地枠１に固定された状態で、図５に示されるように、下方に突出した解除操作レバー５３の端部に筒状のハンドル５４を嵌めて、レバーを所定の方向へ回動操作することにより受片５２ｃを変位せしめ、前記ロック機構５２の受片５２ｃによる棒体５１の係合支持を解除して棒体５１をロック機構５２から離脱させ、下地枠１に固定されていた本体枠２の側辺２２を下地枠１から引き離すことができるるようになっている。
なお、図１に示されるように、下地枠１と本体枠２の両側辺の対応位置に一対の棒体５１とロック機構５２を取り付け、ロック機構５２、５２から解除操作レバー５３、５３を下地枠１の下方に突出させてあるが、一方の解除操作レバー５３を操作すれば、他方の解除操作レバー５３も連動してロックの解除操作が行われるように構成してもよい。
【００２１】
バネ６は、下地枠１と本体枠２にそれぞれ取り付けられたバネ受け具６１、６２に介装されており、下地枠１との係合支持が解除されて本体枠２が勢いよく回転したときの衝撃を吸収するためのものである。
【００２２】
下地枠１と本体枠２に取り付けられたこれら各部材は、図２に示されるように、本体枠内面の勾配に沿った床側から天井を見上げたときの視線ｅ上に位置しないように、つまり照明灯Ｌから透光材３を透過した照明光を遮断することがないような位置に取り付けてある。
【００２３】
このように構成される照明装置の取り付けは、予めアーム連結板４１、４２をアーム４３、４４で回転自在に連結してヒンジ手段４、４を組み立てておき、天井から水平に吊り下げた下地枠１にはロック機構５２、５２とバネ受け具６１を取り付けるとともに、本体枠２の側辺２２の対応位置にも棒体５１、５１とバネ受け具６２を取り付け、次いで、ヒンジ手段４、４のアーム連結板４１、４１を下地枠１の側辺上面にそれぞれ一体に取り付け、さらに床面から持ち上げた本体枠２の対向側辺２３、２３の上面にヒンジ手段４、４のアーム連結板４２、４２を一体に取り付け、最後にバネ受け具６１、６２にバネ６を掛け止めて行うことができる。
【００２４】
ヒンジ手段４、４を介して下地枠１に取り付けられた本体枠２は、側辺２２を上方に押し上げれば棒体５１、５１がロック機構５２、５２の切欠き部５２ｂ、５２ｂ内に嵌まり込んで係合支持され、下地枠１の下面にその周側辺上面をぴったりと接合させて固定される。この状態で、床面側から天井を見上げれば、本体枠２内で照明光を遮る影が映ることはなく、透光材３を透過する柔らかな光で室内が照明される。
【００２５】
天井を点検するときには、下地枠１の下面から突出した解除操作レバー５３にハンドル５４を嵌めて所定の方向に回動操作すれば、前記棒体５１、５１がロック機構５２、５２から外れて本体枠２の側辺２２が下方に回転する。そして、バネ６の端部をバネ受け具６２から取り外せば、本体枠２は、アーム４３、４４により側辺２１側を支点として、下地枠１の下方に略垂直に吊り下がる位置まで回転し、回転により開口した下地枠１の開口面１ａからメンテナンス作業を行うことが可能となる。
【００２６】
図６は本考案の他の実施形態の照明装置の取り付け断面を示している。これは、前記バネ６、バネ受け具６１、６２に代えて、アーム４３の上端部４３ａとアーム４４の下端部４４ｂの回転支点間にバネ６を介装させて、本体枠２が回転するときの衝撃が吸収されるように設けたものである。この形態でも、本体枠２を下地枠１に装着する操作と下地枠１から離脱する操作のために本体枠２を回転させる過程で、本体枠２の周辺が、装着位置から側方や上方に突き出ることはなく、本体枠２は下地枠１の枠内下方で変位する。
【００２７】
なお、図示した形態は一例であり、本考案の照明装置は、施工場所、照明条件などに応じて他の適宜な形態で構成可能である。前記形態では両アームを、アーム連結板を介して下地枠と本体枠とに連結したが、アーム連結板を介さずに直に両アームを両枠に連結することは適宜に行われる。
【図面の簡単な説明】
【００２８】
【図１】本考案の一実施形態の照明装置の外観図である。
【図２】天井端部における図１の照明装置の取り付け断面を示す図である。
【図３】ヒンジ手段で本体枠が回転する状態を示した図である。
【図４】ロック手段の構成を示した図である。
【図５】図４のロック手段をハンドルで操作する状態を示した図である。
【図６】本考案の他の実施形態の照明装置の取り付け断面を示す図である。
【図７】従来の照明装置の一例の取り付け断面を示す図である。
【図８】従来の照明装置の他例の取り付け断面を示す図である。
【符号の説明】
【００２９】
１  下地枠、２  本体枠、３  透光材、４  ヒンジ手段、４１、４２  アーム連結板、４３、４４  アーム、５  ロック手段、５１  棒体、５２  ロック機構、６  バネ、Ｌ  照明灯
【図１】
0003106948.tif 000003
【図２】
0003106948.tif 000004
【図３】
0003106948.tif 000005
【図４】
0003106948.tif 000006
【図５】
0003106948.tif 000007
【図６】
0003106948.tif 000008
【図７】
0003106948.tif 000009
【図８】
0003106948.tif 000010